(57)【要約】【課題】第１群ターミナルのピッチと第２群ターミナルのピッチとが異なる場合でも、相手側コネクタ脱着時にターミナルに作用する力がターミナルと配線基板との接合部に作用するのを防止可能にする。【解決手段】ターミナル３、４は、第１群ターミナル３と第２群ターミナル４が積層配置されるとともに、ハウジング２の外部位置にその側方へ突出する係止突起部３４、４４を備える。結合部材６は、一端側から中間部まで延びて第１群ターミナル３が挿入される第１切り欠き部と、他端側から中間部まで延びて第２群ターミナル４が挿入される第２切り欠き部とを備える。そして、ハウジングの底部２１と結合部材６とによって係止突起部３４、４４を狭持する。【選択図】図９
2011014273.tif 000002
【特許請求の範囲】
【請求項１】
基端が配線基板（１）に接合された複数のターミナル（３、４）と、
有底筒状で、前記ターミナル（３、４）が底部を貫通して前記ターミナル（３、４）の先端を内部に収容するハウジング（２）と、
前記ハウジング（２）の外部にて前記ハウジングの底部（２１）に対向して配置され、前記ハウジング（２）と結合される板状の結合部材（６）とを備えるコネクタであって、
前記ターミナル（３、４）は、第１群ターミナル（３）と第２群ターミナル（４）が積層配置されるとともに、前記ハウジング（２）の外部位置にその側方へ突出する係止突起部（３４、４４）を備え、
前記結合部材（６）は、一端側から中間部まで延びて前記第１群ターミナル（３）が挿入される第１切り欠き部（６２）と、他端側から中間部まで延びて前記第２群ターミナル（４）が挿入される第２切り欠き部（６３）とを備え、
前記ハウジングの底部（２１）と前記結合部材（６）とによって前記係止突起部（３４、４４）が狭持されていることを特徴とするコネクタ。
【請求項２】
相手側コネクタ脱着時に前記ターミナル（３、４）に作用する力の方向を脱着力作用方向としたとき、
前記配線基板（１）は、前記ハウジング（２）に対して前記脱着力作用方向に相対移動可能に組み付けられていることを特徴とする請求項１に記載のコネクタ。
【発明の詳細な説明】
【技術分野】
【０００１】
本発明は、配線基板から延びるターミナルの先端がハウジングの内部に収容されたコネクタに関するものである。
【背景技術】
【０００２】
従来のコネクタは、基端が配線基板に接合されたターミナルと、ターミナルの先端を受け入れてこれに装着されるハウジングと、ハウジングの上面に設けた開口からハウジング内に挿入されて、開口の内壁面に係合すると同時にターミナルにも係合して、ハウジングをターミナルに対して位置決めし両者を結合する結合部材とを有している（例えば、特許文献１参照）。
【０００３】
これにより、相手側コネクタ脱着時にターミナルに作用する力をハウジングや結合部材により受け止めて、ターミナルに作用する力がターミナルと配線基板との接合部に作用するのを防止するようにしている。
【０００４】
なお、このコネクタのターミナルは、ハウジング内において結合部材の挿入方向に沿って第１群ターミナルと第２群ターミナルが積層配置されている。
【先行技術文献】
【特許文献】
【０００５】
【特許文献１】特許第３１２３３９１号公報
【発明の概要】
【発明が解決しようとする課題】
【０００６】
しかしながら、上記の従来のコネクタは、第１群ターミナルのターミナル間のピッチと第２群ターミナルのターミナル間のピッチとが同一である場合は有効であるが、それらのピッチが異なる場合は適用できないという問題があった。
【０００７】
本発明は上記点に鑑みて、第１群ターミナルのピッチと第２群ターミナルのピッチとが異なる場合でも、相手側コネクタ脱着時にターミナルに作用する力がターミナルと配線基板との接合部に作用するのを防止可能にすることを目的とする。
【課題を解決するための手段】
【０００８】
上記目的を達成するため、請求項１に記載の発明では、基端が配線基板（１）に接合された複数のターミナル（３、４）と、有底筒状で、ターミナル（３、４）が底部を貫通してターミナル（３、４）の先端を内部に収容するハウジング（２）と、ハウジング（２）の外部にてハウジングの底部（２１）に対向して配置され、ハウジング（２）と結合される板状の結合部材（６）とを備えるコネクタであって、ターミナル（３、４）は、第１群ターミナル（３）と第２群ターミナル（４）が積層配置されるとともに、ハウジング（２）の外部位置にその側方へ突出する係止突起部（３４、４４）を備え、結合部材（６）は、一端側から中間部まで延びて第１群ターミナル（３）が挿入される第１切り欠き部（６２）と、他端側から中間部まで延びて第２群ターミナル（４）が挿入される第２切り欠き部（６３）とを備え、ハウジングの底部（２１）と結合部材（６）とによって係止突起部（３４、４４）が狭持されていることを特徴とする。
【０００９】
これによると、第１切り欠き部（６２）と第２切り欠き部（６３）とを分離して設けているため、第１切り欠き部（６２）のピッチおよび第２切り欠き部（６３）のピッチを任意に設定することができる。したがって、第１群ターミナルのピッチと第２群ターミナルのピッチとが異なる場合でも、第１群ターミナルを第１切り欠き部（６２）に挿入し、第２群ターミナルを第２切り欠き部（６３）に挿入することができる。
【００１０】
その結果、第１群ターミナルのピッチと第２群ターミナルのピッチとが異なる場合でも、ハウジングの底部（２１）と結合部材（６）とによってターミナル（３、４）の係止突起部（３４、４４）を狭持することが可能となり、相手側コネクタ脱着時にターミナル（３、４）に作用する力がターミナル（３、４）と配線基板（１）との接合部に作用するのを防止することができる。
【００１１】
請求項２に記載の発明では、請求項１に記載のコネクタにおいて、相手側コネクタ脱着時にターミナル（３、４）に作用する力の方向を脱着力作用方向としたとき、配線基板（１）は、ハウジング（２）に対して脱着力作用方向に相対移動可能に組み付けられていることを特徴とする。
【００１２】
これによると、ハウジングの底部（２１）および結合部材（６）とターミナル（３、４）の係止突起部（３４、４４）との間のガタの分、相手側コネクタ脱着時にターミナル（３、４）がハウジング（２）に対して脱着力作用方向に相対移動しても、配線基板（１）はターミナル（３、４）に追従して移動することができるため、相手側コネクタ脱着時にターミナル（３、４）に作用する力がターミナル（３、４）と配線基板（１）との接合部に作用するのを確実に防止することができる。
【００１３】
なお、この欄および特許請求の範囲で記載した各手段の括弧内の符号は、後述する実施形態に記載の具体的手段との対応関係を示すものである。
【図面の簡単な説明】
【００１４】
【図１】（ａ）は本発明の一実施形態に係るコネクタを備える電子装置の正面図、（ｂ）は（ａ）の電子装置の右側面図、（ｃ）は（ａ）の電子装置の背面図である。
【図２】図１の電子装置の分解斜視図である。
【図３】（ａ）は図１の上段ターミナル３の正面図、（ｂ）は（ａ）の上段ターミナル３の右側面図、（ｃ）は（ａ）の上段ターミナル３の平面図である。
【図４】図１の上段ターミナル３の斜視図である。
【図５】（ａ）は図１の中段ターミナル４の正面図、（ｂ）は（ａ）の中段ターミナル４の右側面図、（ｃ）は（ａ）の中段ターミナル４の平面図である。
【図６】図１の中段ターミナル４の斜視図である。
【図７】（ａ）は図１の結合部材６の正面図、（ｂ）は（ａ）の結合部材６の右側面図である。
【図８】図１の結合部材６の斜視図である。
【図９】図１のコネクタの組み付け手順を示す図である。
【発明を実施するための形態】
【００１５】
本発明の一実施形態について説明する。図１（ａ）は一実施形態に係るコネクタを備える電子装置の正面図、図１（ｂ）は図１（ａ）の電子装置の右側面図、図１（ｃ）は図１（ａ）の電子装置の背面図である。図２は、図１の電子装置の分解斜視図である。
【００１６】
図１、図２に示すように、電子装置は、配線基板１とコネクタとからなる。この配線基板１は略水平に配置され、配線基板１上には、図示しないリレー、レジスタ、コンデンサ、ＩＣ等の電子部品が搭載されている。
【００１７】
コネクタは、ハウジング２、ターミナル３〜５、および結合部材６からなる。ハウジング２は、樹脂よりなり、直方体で、かつ有底筒状であり、図示しない相手側コネクタのハウジングが脱着可能且つ係合可能になっている。
【００１８】
ハウジング２の底部２１における外側の面には、係合穴２２が形成された係合片２３が左右両側に設けられている。そして、係合穴２２に結合部材６の係合突起部６１が係合されるようになっている。また、ハウジング２の底部２１における外側の面には、配線基板１が挿入される挿入溝２４が形成されている。
【００１９】
ターミナル３〜５は、導電金属板材にて形成されており、その基端が配線基板１に接合されている。また、ターミナル３〜５は、ハウジング２の底部２１を貫通して、その先端がハウジング２の内部に収容されている。
【００２０】
より詳細には、ターミナル３〜５は、ハウジング２の内部において三段に積層配置されている。以下、上方に位置する複数（本例では６個）のターミナル３を上段ターミナル、上下方向中間に位置する複数（本例では９個）のターミナル４を中段ターミナル、下方に位置する複数（本例では９個）のターミナル５を下段ターミナルという。
【００２１】
そして、中段ターミナル４における隣接するターミナル間のピッチと、下段ターミナル５における隣接するターミナル間のピッチは、等しくなっている。また、上段ターミナル３における隣接するターミナル間のピッチは、中段ターミナル４のピッチや下段ターミナル５のピッチと異なっている。
【００２２】
なお、上段ターミナル３は、本発明の第１群ターミナルに相当し、中段ターミナル４は、本発明の第２群ターミナルに相当する。
【００２３】
図３（ａ）は上段ターミナル３の正面図、図３（ｂ）は図３（ａ）の上段ターミナル３の右側面図、図３（ｃ）は図３（ａ）の上段ターミナル３の平面図である。図４は上段ターミナル３の斜視図である。
【００２４】
図３、図４に示すように、上段ターミナル３は、大部分の領域が一定幅になった長尺板体であり、長手方向中間部で直角に曲げられて、天地方向に延びる基端側板部３１と、水平方向に延びる先端側板部３２とが形成されている。
【００２５】
そして、基端側板部３１の端部には、一定幅部位よりも幅が狭い挿入板部３３が形成されており、この挿入板部３３は、配線基板１に挿入されるようになっている。なお、挿入板部３３の端部は、配線基板１に挿入後に図示の如く二股状に広げられる。
【００２６】
また、先端側板部３２の中間部には、側方へ突出する係止突起部３４が形成されている。この係止突起部３４は、ハウジング２の外部位置にて、ハウジング２の底部２１と結合部材６とによって狭持されるようになっている。
【００２７】
図５（ａ）は中段ターミナル４の正面図、図５（ｂ）は図５（ａ）の中段ターミナル４の右側面図、図５（ｃ）は図５（ａ）の中段ターミナル４の平面図である。図６は中段ターミナル４の斜視図である。
【００２８】
図５、図６に示すように、中段ターミナル４は、大部分の領域が一定幅になった長尺板体であり、長手方向中間部で直角に曲げられて、天地方向に延びる基端側板部４１と、水平方向に延びる先端側板部４２とが形成されている。
【００２９】
そして、基端側板部４１の中間部には、一定幅部位よりも幅が広い幅広板部４３が形成されており、この幅広板部４３よりも端部側が配線基板１に挿入されるようになっている。なお、幅広板部４３よりも端部側は、配線基板１に挿入後に図示の如く直角に曲げられる。
【００３０】
また、先端側板部４２の中間部には、側方へ突出する係止突起部４４が形成されている。この係止突起部４４は、ハウジング２の外部位置にて、ハウジング２の底部２１と結合部材６とによって狭持されるようになっている。
【００３１】
さらに、中段ターミナル４の一定幅部位は、上段ターミナル３の一定幅部位よりも幅が狭くなっている。
【００３２】
図２に示すように、下段ターミナル５は、中段ターミナル４から係止突起部４４を削除した構成と等しく、且つ、下段ターミナル５の基端側板部５１および先端側板部５２は、中段ターミナル４の基端側板部４１および先端側板部４２よりも短くなっている。下段ターミナル５における基端側板部５１の中間部には、一定幅部位よりも幅が広い幅広板部５３が形成されており、この幅広板部５３よりも端部側が配線基板１に挿入されるようになっている。なお、幅広板部５３よりも端部側は、配線基板１に挿入後に直角に曲げられる。
【００３３】
図７（ａ）は結合部材６の正面図、図７（ｂ）は図７（ａ）の結合部材６の右側面図である。図８は結合部材６の斜視図である。
【００３４】
図７、図８に示すように、結合部材６は、樹脂よりなり、略板状である。この結合部材６には、上端から上下方向中間部まで延びて上段ターミナル３が挿入される第１切り欠き部６２が上段ターミナル３と同数形成されている。第１切り欠き部６２のピッチは、上段ターミナル３のピッチと等しく、第１切り欠き部６２の幅は、上段ターミナル３の一定幅部位の幅よりも僅かに大きくなっている。
【００３５】
また、結合部材６には、下端から上下方向中間部まで延びて中段ターミナル４が挿入される第２切り欠き部６３が中段ターミナル４と同数形成されている。第２切り欠き部６３のピッチは、中段ターミナル４のピッチと等しく、第２切り欠き部６３の幅は、中段ターミナル４の一定幅部位の幅よりも僅かに大きくなっている。
【００３６】
次に、コネクタの組み付け手順について、図９に基づいて説明する。まず、図９（ａ）に示すように、中段ターミナル４における幅広板部４３よりも端部側、および下段ターミナル５における幅広板部５３よりも端部側を、配線基板１に設けられた穴（図示せず）に挿入する。そして、中段ターミナル４および下段ターミナル５において配線基板１の穴から突出した部位を直角に折り曲げて、中段ターミナル４および下段ターミナル５を配線基板１に固定する。
【００３７】
続いて、図９（ｂ）に示すように、結合部材６の第２切り欠き部６３に中段ターミナル４の先端側板部４２を挿入するようにして、結合部材６を中段ターミナル４に組み付ける。この状態で、結合部材６は、中段ターミナル４の係止突起部４４に当接ないしは近接するとともに、下段ターミナル５の幅広板部５３に当接ないしは近接している。
【００３８】
続いて、図９（ｃ）に示すように、上段ターミナル３の先端側板部３２を結合部材６の第１切り欠き部６２に挿入するとともに、上段ターミナル３の挿入板部３３を配線基板１に設けられた穴（図示せず）に挿入する。そして、挿入板部３３において配線基板１の穴から突出した部位を二股状に広げて、上段ターミナル３を配線基板１に固定する。この状態で、結合部材６は、上段ターミナル３の係止突起部３４に当接ないしは近接している。
【００３９】
続いて、各ターミナル３〜５と配線基板１とをはんだ付けにて接合して、各ターミナル３〜５と配線基板１上の配線（図示せず）とを導通させる。
【００４０】
続いて、図９（ｄ）に示すように、ハウジング２を組み付ける。具体的には、各ターミナル３〜５の先端側板部３２、４２、５２を、ハウジング２の底部２１の穴（図示せず）にハウジング２の外側から挿入し、ハウジング２の挿入溝２４に配線基板１を挿入し、さらにハウジング２の係合穴２２に結合部材６の係合突起部６１を係合させてハウジング２と結合部材６を結合する。
【００４１】
これにより、ハウジング２の底部２１と結合部材６とが対向し、上段ターミナル３の係止突起部３４、中段ターミナル４の係止突起部４４、および下段ターミナル５の幅広板部５３が、ハウジング２の底部２１と結合部材６とによって狭持される。
【００４２】
ここで、図２、図９（ｄ）に示すように、相手側コネクタ脱着時に各ターミナル３〜５に作用する力の方向を脱着力作用方向Ａとしたとき、配線基板１がハウジング２に対して脱着力作用方向Ａに相対移動可能になるように、配線基板１をハウジング２の挿入溝２４に遊係合させている。
【００４３】
この状態で、相手側コネクタをハウジング２に装着する場合には、各ターミナル３〜５が押されて、上段ターミナル３の係止突起部３４、中段ターミナル４の係止突起部４４、および下段ターミナル５の幅広板部５３が、結合部材６に当接し、各ターミナル３〜５に作用する力は、結合部材６を介してハウジング２へ伝達されてハウジング２全体で受けられる。
【００４４】
そして、配線基板１はハウジング２に対して脱着力作用方向Ａに相対移動可能であるため、各ターミナル３〜５が押されて移動するのに伴って、配線基板１も各ターミナル３〜５と一体的に移動する。したがって、各ターミナル３〜５に作用する力は、各ターミナル３〜５と配線基板１との接合部に作用しない。
【００４５】
また、相手側コネクタをハウジング２から外す場合には、各ターミナル３〜５が引かれて、上段ターミナル３の係止突起部３４、中段ターミナル４の係止突起部４４、および下段ターミナル５の幅広板部５３が、ハウジング２の底部２１に当接し、各ターミナル３〜５に作用する力はハウジング２全体で受けられる。
【００４６】
そして、各ターミナル３〜５が引かれて移動するのに伴って、配線基板１も各ターミナル３〜５と一体的に移動する。したがって、各ターミナル３〜５に作用する力は、各ターミナル３〜５と配線基板１との接合部に作用しない。
【００４７】
（他の実施形態）
上記実施形態では、ターミナル３〜５がハウジング２の内部において三段に積層配置されているコネクタを示したが、ターミナルがハウジング２の内部において二段に積層配置されているコネクタ（具体的には、下段ターミナル５を備えていない構成のコネクタ）にも、本発明は適用することができる。
【符号の説明】
【００４８】
１    配線基板
２    ハウジング
３    第１群ターミナル
４    第２群ターミナル
６    結合部材
２１  底部
３４  係止突起部
４４  係止突起部
６２  第１切り欠き部
６３  第２切り欠き部
【図１】
2011014273.tif 000003
【図２】
2011014273.tif 000004
【図３】
2011014273.tif 000005
【図４】
2011014273.tif 000006
【図５】
2011014273.tif 000007
【図６】
2011014273.tif 000008
【図７】
2011014273.tif 000009
【図８】
2011014273.tif 000010
【図９】
2011014273.tif 000011